(57)【要約】【課題】  機能剤を外部表面に露出させることなく、かつ小型化を犠牲にすることなく機能剤を外部に放散する機能を備えた小型電子機器を提供すること。【解決手段】  本発明の一態様に係る小型電子機器は、筐体（１０、２０）に複数の部品（例えば、６、７）を実装した小型電子機器であって、部品のうち、筐体（１０、２０）内部に設けられた構成部材の少なくとも一部（６１）に、機能剤（例えば、芳香剤）が塗布され、機能剤が外部に放散可能な連結部（例えば、スピーカ用放音孔）を備えている。【選択図】  図２
2007142740.tif 000002
【特許請求の範囲】
【請求項１】
筐体に複数の部品を実装した小型電子機器であって、
前記部品のうち、前記筐体内部に設けられた構成部材の少なくとも一部に、機能剤が塗布され、
当該機能剤が、外部に放散可能な連結部を備えている小型電子機器。
【請求項２】
請求項１に記載の小型電子機器において、
前記機能剤が、芳香剤又は／及び消臭剤であることを特徴とする小型電子機器。
【請求項３】
請求項１又は２に記載の小型電子機器において、
前記連通部が、筐体、又は／及び前記部品を構成する外部露出部材に設けられた孔、若しくは筐体と前記外部露出部材との勘合部であることを特徴とする小型電子機器。
【請求項４】
請求項１、２又は３に記載の小型電子機器において、
前記構成部材が、出力音発生部品、又は入力音集音部品であることを特徴とする小型電子機器。
【請求項５】
請求項１〜４のいずれか１項に記載の小型電子機器が、携帯端末である小型電子機器。
【発明の詳細な説明】
【技術分野】
【０００１】
本発明は、携帯電話機、ＰＨＳ（Personal Handyphon System）等の携帯端末、撮影用ビデオカメラ、撮影用デジタルカメラ、ＩＣレコーダ等の小型電子機器に関する。
【背景技術】
【０００２】
今日の携帯電話機の急速な普及に伴って、利用者の携帯電話に対する要望は年々高まりを見せている。その一つとして、携帯電話機の常時携帯するという性質から、心地よさを追及すべく芳香機能を兼ね備えたものへの要望がある。
【０００３】
芳香機能を備えた携帯電話機としては、通話時に通話者の音声を集音する筐体に設けられた集音孔の近傍に香料を封入したシールを貼ったもの（特許文献１）、携帯電話機に接続された外部接続端子の近傍位置に芳香性部材を本体と略面一な状態で取り付けたもの（特許文献２）、携帯電話機に芳香剤設置用スペースを設けて、この内部に芳香剤を収容したもの（特許文献３）などが提案されている。
また、携帯電話機の例ではないが、電話機の受話部及び送信部の使用面に香水を封入したシートを貼着したもの（特許文献４）や、芳香成分の放散をコントロールできる放散装置などが提案されている（特許文献５）
【特許文献１】登録実用新案第３０６１３８９号公報
【特許文献２】特開２００２−５７７７５号公報
【特許文献３】特開２００４−２５４０２６号公報
【特許文献４】登録実用新案３０６１０１６号公報
【特許文献５】特開２００５−１１８６９８号公報
【発明の開示】
【発明が解決しようとする課題】
【０００４】
昨今の携帯電話機の小型化への要求は著しく、これに搭載する部品の小型化が要求されている。一方で、近似においてはカメラと携帯電話機との複合機能を備えたカメラ付携帯電話機が普及してきており、画像を相手側に送信する等の多機能化も加わって小型化への要求に反して大型化する傾向にある。かかる状況下、上記特許文献３に記載のような芳香剤専用の内部空間を設けることは事実上困難である。また、上記特許文献５のような装置を装着することも事実上困難である。さらに、上記特許文献４のようなシートを貼るスペースを携帯電話機に設けることも困難である。
【０００５】
また、上記特許文献１、特許文献２に記載の方法においては、外部に芳香剤が露出するため、成分が人体や衣類に直接付着してしまう恐れがある。特に、携帯電話機はその使用の性質上、口や耳を接触させて使用するものであるため、人体に付着する恐れが極めて高く安全性に関して問題があった。また、芳香剤の色や材質により携帯電話機自体のデザインの制約を受けたり、経時的使用によって芳香剤の色等が変化して外観を損ねるという問題もあった。
【０００６】
なお、上記においては携帯電話機に芳香機能を付与する場合の問題点について述べたが、小型化が要求されているＰＨＳ、その他の情報携帯端末等の各種携帯端末、固定電話、写真撮影用カメラ、撮影用ビデオカメラ、撮影用デジタルカメラ、ＩＣレコーダ、携帯型オーディオ機器、ノートパソコン、電子手帳等の小型電子機器等全般において同様の問題が生じ得る。また、芳香機能を付与する場合について述べたが、これに限定されるものではなく、例えば、消臭機能、防カビ機能、抗菌機能等の各種機能剤の放散機能を付与したい小型電子機器全般においても同様の問題が生じ得る。
【０００７】
本発明は、上記背景に鑑みてなされたものであり、その目的とするところは、機能剤を外部表面に露出させることなく、かつ小型化を犠牲にすることなく機能剤を外部に放散する機能を備えた小型電子機器を提供することである。
【課題を解決するための手段】
【０００８】
本発明の第１の態様に係る小型電子機器は、筐体に複数の部品を実装した小型電子機器であって、前記部品のうち、前記筐体内部に設けられた構成部材の少なくとも一部に、機能剤が塗布され、当該機能剤が、外部に放散可能な連結部を備えているものである。
【０００９】
本発明に係る小型電子機器によれば、実装部品のうち、筐体内部に設けられた構成部剤に機能剤を塗布し、かつ外部に機能剤が放散可能な連結部を備えているので、機能剤専用の内部空間を設ける必要がない。そのため、小型電子機器の小型化を犠牲にせずに、機能剤の効果を備えることができる。また、機能剤を外部表面に露出させていないので、人体等と直接接触する恐れが無く安全性を確保することができる。
【００１０】
本発明の第２の態様に係る小型電子機器は、上記態様において、前記機能剤が、芳香剤又は消臭剤であることを特徴とするものである。芳香機能、又は／及び消臭機能を付与することにより、快適な使用を提供することができる。
【００１１】
本発明の第３の態様に係る小型電子機器は、上記態様において、前記連通部が、筐体、又は／及び前記部品を構成する外部露出部材に設けられた孔、若しくは筐体と前記外部露出部材との勘合部であることを特徴とするものである。
【００１２】
本発明の第４の態様に係る小型電子機器は、上記態様において、前記構成部材が、出力音発生部品、又は入力音集音部品であることを特徴とするものである。これらは、放音孔や集音孔を備えているのが一般的である。このため、機能剤を放散させるための放散孔を特別に設ける必要がなく、既存の形態で機能剤の放散を行うことができる。
【００１３】
本発明の第５の態様に係る小型電子機器は、上記態様のいずれか一つの態様に記載の小型電子機器が、携帯端末であるものである。携帯端末は、使用時に口や耳等を接触させるので、表面に直接機能剤が塗布されている場合には接触する可能性が極めて高い。本態様によれば、装置内部に機能剤を塗布しているので、携帯端末等において用いる場合に安全性の効果が特に大きい。
【発明の効果】
【００１４】
本発明によれば、機能剤を外部表面に露出させることなく、かつ小型化を犠牲にすることなく機能剤を外部に放散する機能を備えた小型電子機器を提供することができるという優れた効果を有する。
【発明を実施するための最良の形態】
【００１５】
以下、本発明を適用した実施形態の一例について説明する。なお、本発明の趣旨に合致する限り、他の実施形態も本発明の範疇に属し得ることは言うまでもない。
【００１６】
［実施形態１］
図１（ａ）及び図１（ｂ）は、本実施形態に係る携帯端末たる折りたたみ式携帯電話機１００の外観図である。図１（ａ）は、表示部側筐体１０の面と入力部側筐体２０の面を開いた状態のディスプレイ側の外観図であり，図１（ｂ）は，表示部３とキー操作部４とが折りたたまれた状態での外観図である。図１（ａ）及び図１（ｂ）に示すように、折りたたみ式携帯電話機１００は、表示部側筐体１０と入力部側筐体２０とがヒンジ１により回動可能に連結された構造なっており、ヒンジ１を回動させることにより、表示部側筐体１０が入力部側筐体２０に対して開閉されるようになっている。
【００１７】
表示部側筐体１０には、出力音発生部品たるレシーバ２やスピーカ６、表示部３、背面表示部７、背面ＬＥＤ（Light Emitting Diode）（イルミネーション部）８、ランプ９、アンテナ１１、カメラ部１２等の部品が実装されている。一方、入力部側筐体２０には、文字や数字，記号を入力するボタン，電源のＯＮ／ＯＦＦボタン等のキー操作部４、入力音集音部品たるマイク５、イヤホンジャックカバー１３、外部接続端子カバー１４、レシーバ用放音孔１５、集音孔１６、スピーカ用放音孔１７、バッテリー（不図示）、回路基板（不図示）等の部品が実装されている。レシーバ２、スピーカ６、マイク５等は、内蔵部品として筐体内部に内蔵されている。そして、これらは、それぞれ連通部たるレシーバ用放音孔１５、集音孔１６、及びスピーカ用放音孔１７を介して、外部と連通するように構成されている。
【００１８】
表示部３及び背面表示部７は，画像，電話番号等のデータ，各種メニュー，操作説明等の情報を表示する役割を担い，例えば，ＬＣＤ（Liquid Clysatl Display）等により構成される。レシーバ２は、図１（ａ）中の点線で囲まれる位置の内部、すなわち、表示部３の上部（ヒンジ１と係合する側の一辺と対向する一辺近傍）の略中央付近の位置の内部に実装されており，受話音声を鳴動する役割を担う。レシーバ２からの出力音は，レシーバ用放音孔１５を介して外部に開放される。マイク５は、図１（ａ）中の点線で囲まれる位置の内部、すなわち、キー操作部の下部（ヒンジ１と係合する側の一辺と対向する一辺近傍）の略中央付近の位置の内部に実装されており、集音孔１６を介して使用者の音声を集音して音声を電気信号に変換する役割を担う。カメラ部１２は，レシーバ２の隣接部に並んで配設されており、固体撮像素子（ＣＣＤ（Charge Coupled Devices）等）と作動時に入力される光学系の画像信号を画像データとしてデジタル信号に変換する回路を備えている。
【００１９】
背面LED（イルミネーション部）８には、内部に二色以上の異なる色で発光可能なLEDが設置され、着信やメール受信時、及び通話中に任意の色で発光するように構成されている。ランプ９は、携帯電話１の電池が充電中の時は赤く点灯し、完了すると消灯する事を主な役割とする。背面LED８同様に、着信やメール受信時及び通話中に任意の色で発光するように構成してもよい。スピーカ６は、図１（ｂ）中の点線で囲まれている領域の内部に実装されており、着信メロディやメロディのダウンロード時に音を鳴動する役割の他、ハンズフリー機能使用時において、通話相手の音声(受話音)を出力する役割を担う。スピーカ６からの出力音は、３つのスピーカ用放音孔１７を介して外部に開放される。アンテナ１１は、無線信号の送受信処理を行う部分であり、イヤホンジャックカバー１３及び外部接続端子カバー１４は、イヤホンや外部接続端子を使用しない時にイヤホン端子部等へのゴミや水滴の侵入を防ぐ為のカバーである。
【００２０】
図２（ａ）は、本実施形態１に係る折りたたみ式携帯電話機１００に実装されたスピーカ６の正面図であり、図２（ｂ）はその側面図である。このスピーカ６は、構成部材として前面クロス６１、クッション６２、プロテクタ６３、振動板６４、プロテクタに設けられた放音部６５、スピーカ本体部６６等を備える。
【００２１】
スピーカ本体部６６から出力された電気信号は、振動板６４において、電流の流れる方向（正負）に応じて上下に振動し、出力音に変換される。振動板６４の前面には、金属等で形成された板状のプロテクタ６３が設けられている。プロテクタ６３によりスピーカ本体部６６や振動板６４が適切に保護される。そして、プロテクタ６３の上面には、前面クロス６１が端部に設けられたクッション６２を介して間隙を持って対向配置されている。クッション６２と、前面クロス６１及びプロテクタ６３とは、それぞれ両面テープを介して固定せしめられている。クッション６２を設けることにより、ケーシングに実装した際の音漏れを効果的に防ぐことができる。
【００２２】
前面クロス６１は、防塵用クロスとしての役割を担い、これにより砂や埃などの異物がスピーカ６内部に侵入することに起因する異音発生を防止できる。前面クロス６１としては、メッシュや不織布等を用いることができる。防塵性、防砂性、耐水性をより効果的に付与する観点からは、メッシュを用いることがより好ましい。なお、レシーバ２の基本的な構成は、前掲のスピーカ６と同様となっている。
【００２３】
本実施形態１に係る前面クロス６には、さらに、芳香剤が塗布されている。芳香剤としては、公知のものを用いることができる。使用者の好み等に応じて、草花の香り、果物の香り等を選定することができる。１種類のみならず、複数を配合することができる。
【００２４】
このようなスピーカ６は、前面クロス６１側を上面として、表示部側筐体１０のケーシングに固定され、内部に実装されている。スピーカ６から出力された出力音は、スピーカ用放音孔１７を介して外部に放散される。また、前面クロス６に塗布された芳香剤も、このスピーカ用放音孔１７を介して外部に放散される。
【００２５】
図３（ａ）は、本実施形態１に係る折りたたみ式携帯電話機１００に実装されたマイク５の正面図であり、図３（ｂ）はその側面図である。このマイク５は、前面クロス５１、両面テープ５２、マイク本体部５３、マイク本体部５３に設けられた集音部５４等を備える。
【００２６】
集音孔１６から入力された入力音（使用者の通話音）は、マイク本体部５３において、電気信号に変換される。マイク本体部５３の前面には、両面テープ５２を介して不織布からなる前面クロス５１が貼着せしめられている。前面クロス５１を設けることにより、砂や埃などの異物がマイク５内部に侵入することに効果的に防止することができる。なお、前面クロス５１としては不織布に限定されるものではなく、メッシュ等の公知の材質のものを用いることができる。
【００２７】
本実施形態１によれば、スピーカ６に設けられた前面クロスに芳香剤を塗布せしめることにより、放音孔１７を介して外部に香りを放散させることが可能となる。芳香剤を放音孔１７を介して放散させる構造としたので、使用者の皮膚、体内、衣類等に芳香剤が直接付着する恐れが無く安全性を確保できる。また、芳香剤を収容する芳香剤専用の内部空間を設ける必要が無いので、携帯電話機の小型化の妨げにならない。使用者の好む匂いにより芳香剤を選定すれば、よりリラクゼーション効果を期待できる。使用者の好みに合わせて香りを選定できるように、香り付き前面クロス６１を取替え用として準備しておいてもよい。この際、前面クロス６１とクッション６２とをセットで交換可能なように作製してもよい。また、芳香剤の持続性を高めるために、芳香剤の放散時期が異なる複数のカプセルなどに封入された塗布剤を用いてもよい。
【００２８】
なお、本実施形態１においては、スピーカ６の前面クロス６１に芳香剤を塗布せしめた例について説明したが、これに代えて、あるいは前面クロス６１と共にレシーバ２に設けられた前面クロス（不図示）に芳香剤を塗布せしめてもよい。スピーカ６及びレシーバ２の両者の前面クロスに芳香剤を塗布せしめた場合には、折りたたみ式携帯電話機１００の折りたたみ時、及び開閉時共に香りを楽しむことができる。これらの芳香剤は、同一種類のものを用いてもよいし、異なる種類のものを用いてもよい。また、一の前面クロスに塗布せしめる芳香剤は、一種類に限定されるものではなく、複数種類のものを塗布せしめてもよい。
【００２９】
また、スピーカ６の前面クロス６１に芳香剤を塗布せしめる代わりに、あるいは前面クロス６１と共に振動板６４に芳香剤を塗布してもよい。振動板６４に芳香剤を塗布せしめることにより、振動板６４の振動に際して発生する熱（コイルに電流が流れることにより発生する熱）により、芳香効果をより高めることができる。スピーカ６が鳴動するたびに、スピーカ６の音孔部から効果的に芳香を放散せしめることができる。コイルに電流が流れることにより発生する熱量に応じて適切な芳香が放散可能な芳香剤を選定すれば、使用者のリラクゼーション効果をより高めることが期待できる。
【００３０】
さらに、アラーム鳴動時、着信時、通話中に発生するコイル熱、及びその他の部品から発生する熱を利用して、芳香効果を高めるようにしてもよい。例えば、目覚し機能に応用すれば、アラーム音と同時に、朝の清々しい香りを室内に漂わせることができ、爽快に目覚めることが期待できる。また、芳香用に安全の範囲で温度上昇する部品（抵抗等）を携帯電話に実装させて、芳香効果を高めるように構成してもよい。
【００３１】
また、スピーカ６の前面クロス６１と共に、あるいはこれに代えて、マイク５の前面クロス５１に芳香剤を塗布したものを用いてもよい。これにより、マイク５の集音孔１６を介して外部に香りを放散せしめることができる。
【００３２】
［実施形態２］
次に、上記実施形態１の折りたたみ式携帯電話機１００とは異なる実施形態について説明する。なお、以降の説明において、上記実施形態１と同一の構成部材は、同一の符号を付し、適宜その説明を省略する。
【００３３】
本実施形態２に係る折りたたみ式携帯電話機１０１は、以下の点を除く基本的な構成は上記実施形態１と同じである。すなわち、上記実施形態１においては、表示部３とスピーカ６とが独立した構造となっていたが、本実施形態２においては、表示部にフラットパネルスピーカ機能を付与している点が異なる。また、上記実施形態１においては、スピーカ６の構成部材（具体的には、前面メッシュ）に芳香剤を塗布していたが、本実施形態２においては、表示部兼フラットパネルスピーカの裏面側に配設されている内部構造部に芳香剤を塗布している点が異なる。
【００３４】
図４は、本実施形態２に係る折りたたみ式携帯電話機１０１の外観図である。表示部側筐体１０には、上記実施形態１の表示部３に代えて表示部兼フラットパネルスピーカ１８が備えられている。この表示部兼フラットパネルスピーカ１８は、画像，電話番号等のデータ，各種メニュー，操作説明等の情報を表示する他、当該部分に耳を当てることにより通話相手の音声等を聞くことができるようになっている。また、ハンズフリー機能使用時においては、通話相手の音声を出力することができるようになっている。さらに、着信時やメロディのダウンロード時においては、出力音を発して着信を使用者に知らせたり、出力音情報を使用者に提供可能なように構成されている。
【００３５】
表示部兼フラットパネルスピーカ１８は、その裏面側に圧電効果を利用した圧電駆動素子としてＤＭＡ（Distributed Mode Actuator）素子２２が実装されている。このＤＭＡ素子２２について、図５を用いつつ説明する。このＤＭＡ素子２２は、圧電材料でできており、電気信号がホルダ２１を介して入力され、正負の電気信号によりＤＭＡ素子２２が伸縮運動を起こす。そして、この振動がホルダ部２１で固定した折りたたみ式携帯電話機１０１の表示部兼フラットパネルスピーカ１８の表面に設けられたスクリーンシート（外部露出部材）に伝わり、外部に音として伝播することができる。ＤＭＡ素子２２の表面には、芳香剤が塗布されている。これにより、筐体と表示部兼フラットパネル１８との勘合部の隙間からほのかに香りを楽しむことが可能となる。
【００３６】
本実施形態２によれば、表示部兼フラットパネルの内部構成部材に芳香剤を塗布せしめることにより、勘合部を介して外部に香りを流通させることが可能となる。芳香剤を塗布する場所が、装置内部なので、使用者の皮膚、体内、衣類等に芳香剤が付着する恐れが無く安全性を確保できる。また、芳香剤を収容する芳香剤専用の内部空間を設ける必要が無いので、携帯電話機の小型化の妨げにならない。また、スピーカ機能と、表示部機能を兼備することにより、上記実施形態１に比してさらに装置の小型化が期待できる。
【００３７】
また、上記実施形態１及び２においては、芳香剤を塗布する例について説明したがこれに限定されるものではなく、消臭剤、抗菌剤、防カビ剤等の各種機能剤を塗布する場合にも本発明を適用できる。また、これらは単独ではなく、複数を組み合わせて利用してもよい。消臭剤を塗布することにより、口臭が折りたたみ式携帯電話機１００に付いてしまうことを抑制できる。特に、１台を複数人で使用する場合において、快適な使用を提供することができる。また、折りたたみ式携帯電話機１００の実装部品等に使用される接着剤などの異臭を消臭する効果も期待できる。
【００３８】
さらに、上記実施形態１及び２においては、携帯電話機に応用する例について述べたが、これに限定されるものではなく、小型化が要求されているＰＨＳ、その他の情報携帯端末等の各種携帯端末、固定電話、写真撮影用カメラ、撮影用ビデオカメラ、撮影用デジタルカメラ、ＩＣレコーダ、携帯型オーディオ機器、ノートパソコン、電子手帳等の小型電子機器等全般において本件発明を適用することが可能である。
【図面の簡単な説明】
【００３９】
【図１】（ａ）は、表示部側筐体１０の面と入力部側筐体２０の面を開いた状態のディスプレイ側の外観図であり，（ｂ）は，表示部３とキー操作部４とが折りたたまれた状態での外観図。
【図２】（ａ）は、本実施形態１に係る折りたたみ式携帯電話機１００に実装されたスピーカ６の正面図であり、図２（ｂ）はその側面図。
【図３】（ａ）は、本実施形態１に係る折りたたみ式携帯電話機１００に実装されたマイク５の正面図であり、図３（ｂ）はその側面図。
【図４】本実施形態２に係る折りたたみ式携帯電話機１００の外観図。
【図５】本実施形態２に係る駆動素子の説明図。
【符号の説明】
【００４０】
１      ヒンジ
２      レシーバ
３      表示部
４      キー操作部
５      マイク
６      スピーカ
７      背面表示部
８      背面ＬＥＤ
９      ランプ
１０    表示部側筐体
１１    アンテナ
１２    カメラ部
１３    イヤホンジャックカバー
１４    外部接続端子カバー
１５    レシーバ用放音孔
１６    集音孔
１７    スピーカ用放音孔
１８    表示部兼フラットパネルスピーカ
２０    入力部側筐体
２１    ホルダー
２２    ＤＭＡ素子
５１    前面クロス
５２    両面テープ
５３    マイク本体部
５４    放音部
６１    前面クロス
６２    クッション
６３    プロテクタ
６４    振動板
６５    放音部
６６    スピーカ本体部
１００  折りたたみ式携帯電話機
１０１  折りたたみ式携帯電話機
【図１】
2007142740.tif 000003
【図２】
2007142740.tif 000004
【図３】
2007142740.tif 000005
【図４】
2007142740.tif 000006
【図５】
2007142740.tif 000007